(57)【特許請求の範囲】
【請求項１】
複数の光源より選択的にレーザービームを出射して前記レーザービームを共通の対物レンズにより光ディスクに照射すると共に、前記レーザービームの戻り光を受光して受光結果を処理することにより、前記光ディスクに記録された情報を再生する光ディスク装置であって、
前記光源が前記光ディスクの半径方向に離間して配置され、
前記光源からの前記レーザービームの選択的な出力に応動して、前記対物レンズを前記光ディスクの半径方向に変位させる
ことを特徴とする光ディスク装置。
【請求項２】
前記対物レンズにより前記レーザービームを前記光ディスクの情報記録面に集光し、
前記受光結果に応じて前記対物レンズを前記光ディスクの半径方向に可動することによりトラッキング制御する
ことを特徴とする請求項１に記載の光ディスク装置。
【請求項３】
前記複数の光源と前記戻り光を受光する受光素子とが一体に集積されてなる
ことを特徴とする請求項１に記載の光ディスク装置。
【請求項４】
前記対物レンズの変位の方向が、選択的にレーザービームを射出する光源側とは逆側の方向である
ことを特徴とする請求項１に記載の光ディスク装置。
【発明の詳細な説明】
【０００１】
【発明の属する技術分野】
本発明は、光ディスク装置に関し、例えばコンパクトディスクとＤＶＤ（Digital Video Disk）とを再生する光ディスク装置に適用することができる。本発明は、光ディスクの半径方向に離間して配置された光源より選択的にレーザービームを照射して共通の光学系により光ディスクに集光するにつき、このレーザービームの選択的な出射に対応するように対物レンズを光ディスクの半径方向に変位させることにより、１つの光ピックアップを複数の光ディスクで共通に使用する場合に、光学特性の劣化を防止する。
【０００２】
【従来の技術】
従来、光ディスク装置であるコンパクトディスクプレイヤーにおいては、光ピックアップよりコンパクトディスクの情報記録面にレーザービームを照射してその戻り光の受光結果を処理することにより、コンパクトディスクに記録された各種のデータを再生するようになされている。
【０００３】
このような光ピックアップにおいては、発光素子及び受光素子を個別に配置した形式のものと、発光素子及び受光素子を一体化してなる光集積素子を使用したものとがあり、後者においては、前者に比して形状を小型化でき、また信頼性を向上することができる。
【０００４】
【発明が解決しようとする課題】
ところでＤＶＤを再生する光ディスク装置においても、光集積素子を用いて光ピックアップを構成すれば、その分全体形状を小型化、簡略化できると考えられる。さらにこのようなＤＶＤ用の光ディスク装置においても、コンパクトディスクを再生することができれば、便利であると考えられる。
【０００５】
この場合、ＤＶＤ用の発光素子及び受光素子、コンパクトディスク用の発光素子及び受光素子を一体化して光集積素子を構成することにより、コンパクトディスクとＤＶＤとを再生可能な光ディスク装置を構成できると考えられる。
【０００６】
ところがこのようにして光集積素子を構成する場合、ＤＶＤ用の発光素子又はコンパクトディスク用の発光素子の何れかにあっては、対物レンズの光軸よりずれて配置されることになり、このように光軸よりずれて配置された発光素子より出射されるレーザービームにあっては、対物レンズに斜め入射することになる。この場合、このレーザービームに係る光学系にあっては、収差が増大し、光学特性が劣化することになる。
【０００７】
本発明は以上の点を考慮してなされたもので、複数の光学素子を切り換えて複数の光ディスクで１つの光ピックアップを共通に使用する場合に、光学特性の劣化を防止することができる光ディスク装置を提案しようとするものである。
【０００８】
【課題を解決するための手段】
かかる課題を解決するため請求項１に係る発明においては、光源からのレーザービームの選択的な出力に応動して、対物レンズを光ディスクの半径方向に変位させる。
【０００９】
請求項１に係る構成によれば、光源からのレーザービームの選択的な出力に応動して、対物レンズを光ディスクの半径方向に変位させることにより、発光素子の何れかが対物レンズの光軸よりずれて配置されている場合に、この光軸からのずれを補正することができ、これにより光学特性の劣化を防止することができる。
【００１０】
【発明の実施の形態】
以下、適宜図面を参照しながら本発明の実施の形態を詳述する。
【００１１】
（１）実施の形態の全体構成
図１は、本発明の実施の形態に係る光ディスク装置のトラッキング制御系を示す略線図である。この光ディスク装置１は、ＤＶＤである光ディスク２Ａに記録されたデータ、コンパクトディスクである光ディスク２Ｂに記録されたデータを再生する。
【００１２】
ここでコンパクトディスク２Ｂは、板厚１．２〔ｍｍ〕の透明基板を介して情報記録面にレーザービームを照射して得られる戻り光を処理することにより記録されたデータを再生できるようになされた光ディスクである。これに対してＤＶＤ２Ａは、板厚０．６〔ｍｍ〕の透明基板を介して情報記録面にレーザービームを照射して得られる戻り光を処理することにより、記録されたデータを再生できるようになされた光ディスクである。
【００１３】
この光ディスク装置１において、光ピックアップ３は、所定のスレッド機構により光ディスクの半径方向に可動できるように配置される。光ピックアップ３は、光集積素子４より出射したレーザービームをコリメータレンズ５、アパーチャー６、対物レンズ７を介して光ディスク２Ａ又は２Ｂに照射し、またこの光ディスク２Ａ又は２Ｂより得られる戻り光を対物レンズ７、アパーチャー６、コリメータレンズ５により光集積素子４に入射する。
【００１４】
光ディスク装置１は、この光集積素子４における戻り光の受光結果を処理してトラッキングエラー信号、フォーカスエラー信号、再生信号を生成する。光ディスク装置１は、これらトラッキングエラー信号及びフォーカスエラー信号に基づいて対物レンズ７を可動してトラッキング制御及びフォーカス制御し、また再生信号を処理して光ディスク２Ａ、２Ｂに記録されたデータを再生する。
【００１５】
ここで光集積素子４は、コンパクトディスク用の発光素子及び受光素子、ＤＶＤ用の発光素子及び受光素子を１つのパッケージに一体に集積して構成される。光集積素子４は、これら各発光素子を構成する半導体レーザーダイオードチップが光ディスク２Ａ、２Ｂの半径方向に約１００〔μｍ〕の間隔により離間して配置され、図示しないシステムコントローラの制御により、光ディスク２Ａ、２Ｂに応じてこれら２つの半導体レーザーダイオードチップが選択的に駆動される。これにより光集積素子４は、各光ディスク２Ａ、２Ｂに対応する波長のレーザービームを光ディスク２Ａ、２Ｂに向けて選択的に出射し、またこのとき対応する受光素子により戻り光を受光する。
【００１６】
コリメータレンズ５は、この光集積素子４より出射されるレーザービームを略平行光線に変換して出射する。なおコリメータレンズ５は、ＤＶＤ用レーザービームの光軸に光軸が一致するように光集積素子４に対して配置され、これによりコンパクトディスク用レーザービームに対しては、光軸がずれて配置されるようになされている。
【００１７】
図２に示すように、アパーチャー６は、透明板状部材に誘電体膜を蒸着して中心に円形形状の開口が形成される。アパーチャー６は、この開口を囲む部分に誘電体膜が形成され、この誘電体膜が、コンパクトディスク用レーザービームの波長である波長７８０〔ｎｍ〕の光を選択的に遮光し、またＤＶＤ用レーザービームの波長である波長６５０〔ｎｍ〕の光を透過するフィルタを構成するようになされている。これによりアパーチャー６は、コンパクトディスク用レーザービームについては、この開口により決まるビーム径によりビーム形状を整形して透過するのに対し、ＤＶＤ用レーザービームについては、何らビーム形状を変化させることなく透過するようになされている。なおアパーチャー６は、この開口の中心がコンパクトディスク用レーザービームの光軸とほぼ一致するように配置される。
【００１８】
対物レンズ７は、透明樹脂を射出成形して作成された非球面のプラスチックレンズであり、この透明樹脂の屈折率と、各レンズ面の形状の選定により、ほぼ平行光線により入射するＤＶＤ用レーザービーム、コンパクトディスク用レーザービームをそれぞれ対応する光ディスク２Ａ、２Ｂの情報記録面に集光できるようになされている。これにより対物レンズ７は、ＤＶＤ用レーザービーム、コンパクトディスク用レーザービームに対応するいわゆる２焦点レンズを構成するようになされている。
【００１９】
さらに対物レンズ７は、ボイスコイルモータ構成によるトラッキング制御用アクチュエータ８により光ディスク２Ａ、２Ｂの半径方向に可動するように構成され、これによりトラッキングエラー信号に応じてこのアクチュエータ８を駆動することによりトラッキング制御できるようになされている。また同様のアクチュエータによりレーザービームの光軸に沿って可動するように構成され、これによりフォーカスエラー信号に応じてこのアクチュエータを駆動することによりフォーカス制御できるようになされている。
【００２０】
このようにして可動されるにつき、対物レンズ７は、トラッキング制御用アクチュエータ８より何ら力を受けていないとき、光軸がＤＶＤ用レーザービームの光軸とほぼ一致するように配置され、これによりこの状態ではコンパクトディスク用のレーザービームに対しては光軸が一致しないように配置される。対物レンズ７は、コンパクトディスク２Ｂを再生する場合、光集積素子４において発光素子が離間して配置されてなる分、トラッキング制御用アクチュエータ８により光ディスク２Ｂの半径方向に変位して可動し、これによりコンパクトディスク２Ｂを再生する際における光学系の特性劣化を防止するようになされている。
【００２１】
光ディスク装置１において、マトリックス演算回路９は、光集積素子４より出力される受光結果をマトリックス演算処理することにより、トラッキングエラー量に応じて信号レベルが変化するトラッキングエラー信号ＴＥ、フォーカスエラー量に応じて信号レベルが変化すフォーカスエラー信号、ピット列に応じて信号レベルが変化する再生信号を生成する。このときマトリックス演算回路９は、それぞれＤＶＤ用、コンパクトディスク用にこれらトラッキングエラー信号等を生成する。
【００２２】
サーボ回路１０は、このトラッキングエラー信号ＴＥが所定の信号レベルになるように駆動信号を生成して出力し、駆動回路１１は、この駆動信号に応じてアクチュエータ８を駆動する。これにより光ディスク装置１は、サーボ回路を構成してトラッキング制御する。
【００２３】
この制御において、スイッチ回路１２は、コンパクトディスク２Ｂを再生する場合には、システムコントローラの制御によりオン状態に切り換わり、駆動回路１１に所定のオフセット電圧を与える。駆動回路１１は、サーボ回路１０より出力される駆動信号にこのオフセット電圧を加算してアクチュエータ８を駆動し、これにより光ディスク装置１では、対物レンズ７を光ディスク２Ｂの半径方向に変位させた状態でトラッキング制御するようになされている。
【００２４】
（２）光集積素子４の構成
図３（Ａ）は、光集積素子４をレーザービームの出射方向より見て示す平面図であり、図３（Ｂ）は、この光集積素子４を光ディスク２Ａ、２Ｂの円周接線方向に断面を取って示す断面図である。光集積素子４は、半導体基板１７上にプリズム１４、半導体レーザーダイオードチップ１５Ａ及び１５Ｂを配置して光学系１６が形成され、この光学系１６をパッケージ１８に収納して配線した後、透明封止部材であるリッドガラス１９により封止して作成される。
【００２５】
ここで半導体レーザーダイオードチップ１５Ａ及び１５Ｂは、光ディスク２Ａ、２Ｂの半径方向に約１００〔μｍ〕の距離だけ離間して配置され、それぞれＤＶＤに対応する波長６５０〔ｎｍ〕によるＤＶＤ用レーザービーム、コンパクトディスクに対応する波長７８０〔ｎｍ〕のコンパクトディスク用レーザービームをプリズム１４に向けて出射する。
【００２６】
ここでプリズム１４は、レーザービームと戻り光とを分離する光学素子であり、一の側面に斜面を有する略長方形形状に形成される。プリズム１４は、半導体レーザーダイオードチップ１５Ａ及び１５Ｂより出射されるレーザービームをこの斜面により反射してコリメータレンズ５に向けて出射し、またこのレーザービームの光路を逆に辿って入射する戻り光をこの斜面より内部に導く。
【００２７】
プリズム１４は、この斜面より入射した戻り光が下面に入射し、ここで約５０〔％〕の光量を透過し、残る光量の戻り光を上面に向けて反射する。さらにプリズム１４は、この上面にて、戻り光を下面に向けてほぼ１００〔％〕反射し、この上面で反射した戻り光を下面より出射する。
【００２８】
プリズム１４は、このため蒸着によりミラー面が上面に形成され、また下面の斜面側（以下フロント側と呼ぶ）及び斜面より遠ざかった側（以下リア側と呼ぶ）より出射される戻り光の光量比がほぼ１：１になるように、同様の蒸着の処理により、下面にビームスプリッタ面、光透過面が形成される。
【００２９】
半導体基板１７においては、プリズム１４からＤＶＤ用レーザービームによる戻り光、コンパクトディスク用レーザービームによる戻り光が入射する部分に、それぞれＤＶＤ用の受光面２５Ａ及び２６Ａ、コンパクトディスク用の受光面２５Ｂ及び２６Ｂが形成される。
【００３０】
図４において、これら受光面を部分的に拡大して示すように、光集積素子４は、ジャストフォーカスの状態で、このようにしてプリズム１４を透過する戻り光により半導体基板１７上に形成されるビームスポット形状が、リア側ではほぼ焦線形状となるように、またフロント側ではリア側の焦線延長方向と直交する方向に長軸を有する楕円形状となるように、半導体レーザーダイオードチップ１５Ａ、１５Ｂの向き、プリズム１４の大きさ等が選定されるようになされている。
【００３１】
コンパクトディスク側の受光面２５Ｂ及び２６Ｂは、コンパクトディスクの円周接線方向に並んでそれぞれ略長方形形状に形成され、この円周接線方向に延長する分割線によりコンパクトディスクの半径方向に分割されて形成される。受光面２５Ｂ及び２６Ｂは、これによりジャストトラッキングの状態で、各受光面に形成されるビームスポットをコンパクトディスクの半径方向に４分割して受光するようになされ、分割された各受光面の受光結果をそれぞれ出力するようになされている。なお以下において、このようにして分割された小さな受光面について、フロント側の外側については符号ｍ及びｐにより、フロント側の内側については、符号ｎ及びｏにより示す。またリア側の外側については、符号ｑ及びｔにより、リア側の内側については符号ｒ及びｓにより示す。
【００３２】
これに対してＤＶＤ側の受光面２５Ａ及び２６Ａは、同様に光ディスク２Ａの円周接線方向に並んでそれぞれ略長方形形状に形成され、リア側の受光面２６Ａは、コンパクトディスク用のリア側受光面２６Ｂと同様に作成される。
【００３３】
これに対してフロント側の受光面２５Ａは、コンパクトディスク用のフロント側受光面２５Ｂにおける構成に加えて、さらに光ディスクの円周接線方向に受光面が２分割されるようになされている。これにより半導体基板１７においては、いわゆるＤＰＤ（Differencial phase Detection）法によりトラッキングエラー信号を生成できるようになされている。なお以下において、このようにして分割されたＤＶＤ側の小さな受光面について、フロント側の外側、斜面側については符号ａ及びｄにより、フロント側の内側、斜面側については、符号ｂ及びｃにより示す。フロント側の外側、斜面より遠い側については符号ｅ及びｈにより、フロント側の内側、斜面より遠い側については、符号ｆ及びｇにより示す。またリア側の外側については、符号ｉ及びｌより、リア側の内側については符号ｊ及びｋにより示す。
【００３４】
半導体基板１７は、これら分割された各受光面ａ〜ｔの受光結果を電流電圧変換処理した後、演算処理して出力し、マトリックス演算回路９においては、この演算出力をさらに演算処理してトラッキングエラー信号、フォーカスエラー信号、再生信号を生成する。
【００３５】
すなわちコンパクトディスク用にあっては、フロント側及びリア側受光面２５Ｂ及び２６Ｂにおいて、それぞれ内側受光面及び外側受光面間で差分信号を生成し、さらにこの差分信号をフロント側及びリア側で減算することにより、（ｍ＋ｐ＋ｒ＋ｓ）−（ｎ＋ｏ＋ｑ＋ｔ）により表されるフォーカスエラー信号を生成する。またフロント側及びリア側受光面２５Ｂ及び２６Ｂにおいて、それぞれ内周側受光面及び外周側受光面間で差分信号を生成し、さらにこの差分信号をフロント側及びリア側で加算することにより、（ｍ＋ｎ＋ｓ＋ｔ）−（ｏ＋ｐ＋ｑ＋ｒ）により表されるトラッキングエラー信号を生成する。またフロント側及びリア側受光面２５Ｂ及び２６Ｂにおいて、全ての受光結果を加算することにより、（ｍ＋ｎ＋ｏ＋ｐ＋ｑ＋ｒ＋ｓ＋ｔ）により表される再生信号を生成する。
【００３６】
これに対してＤＶＤ側にあっては、同様にして、（ａ＋ｄ＋ｅ＋ｈ＋ｊ＋ｋ）−（ｂ＋ｃ＋ｆ＋ｇ＋ｉ＋ｌ）により表されるフォーカスエラー信号、（ａ＋ｂ＋ｃ＋ｄ＋ｅ＋ｆ＋ｇ＋ｈ＋ｉ＋ｊ＋ｋ＋ｌ）により表される再生信号を生成する。これに対して図５に示すように、ＤＶＤ用のトラッキングエラー信号ＴＥについては、受光面２５Ａ及び２６Ｂの並び方向に分割された受光面のグループ毎に、それぞれ光ディスク２Ａの内周側及び外周側に対応する各２つの受光面部の受光結果を加算回路４２Ａ〜４２Ｄによりそれぞれ加算し、これによりこれらグループについて、内周側及び外周側の受光光量を検出する。さらに位相比較回路４３Ａ及び４３Ｂにより、それぞれ各グループ毎に、内周側及び外周側の受光結果を位相比較した後、加算回路４４により加算してトラッキングエラー信号ＴＥを生成する。
【００３７】
（３）実施の形態の動作
以上の構成において、光ディスク装置１は（図１）、光ピックアップ３において、光ディスク２Ａ、２Ｂにレーザービームを照射してその戻り光を受光し、所定の信号処理回路によりこの戻り光の受光結果を処理することにより、光ディスク２Ａ、２Ｂに記録された情報が再生される。
【００３８】
すなわち光ディスク装置１において、光ピックアップ３は、光集積素子４よりレーザービームが出射され、このレーザービームがコリメータレンズ５により略平行光線に変換された後、アパーチャー６を透過して対物レンズ７に導かれ、この対物レンズ７により光ディスク２Ａ、２Ｂの情報記録面に集光される。またこのレーザービームの照射により得られる戻り光が対物レンズ７により受光されて光集積素子４に入射され、この光集積素子４により戻り光の受光結果が得られる。
【００３９】
光ディスク装置１では、この戻り光の受光結果よりトラッキングエラー信号ＴＥが生成され、このトラッキングエラー信号ＴＥが所定の信号レベルになるようにサーボ回路１０により対物レンズ７が光ディスク２Ａ、２Ｂの半径方向に可動されてトラッキング制御される。また同様にしてフォーカスエラー信号が生成され、このフォーカスエラー信号が所定の信号レベルになるように、対物レンズ７が上下方向に可動され、これによりフォーカス制御される。
【００４０】
この一連の光ピックアップの動作において、この光ディスク装置１に装填された光ディスクがＤＶＤ２Ａの場合、光ディスク装置１では、光集積素子４において、光ディスク２Ａ、２Ｂの半径方向に並んで配置された半導体レーザーダイオードチップ１５Ａ及び１５Ｂ（図３）のうちの、ＤＶＤ用の半導体レーザーダイオードチップ１５Ａより選択的にレーザービームが出射され、このレーザービームがＤＶＤ２Ａに照射される。またこのＤＶＤ２Ａからの戻り光がプリズム１４を介してＤＶＤ用の受光面２５Ａ及び２６Ａにより受光される。
【００４１】
このとき光ピックアップ３においては、対物レンズ７の光軸、コリメータレンズ５の光軸がこのＤＶＤ用レーザービームの光軸とほぼ一致するように調整されて配置されていることにより、光学特性の劣化が有効に回避される。
【００４２】
これに対して光ディスク装置１に装填された光ディスクがコンパクトディスク２Ｂの場合、光ディスク装置１では、半導体レーザーダイオードチップ１５Ａ及び１５Ｂ（図３）のうちの、コンパクトディスク用の半導体レーザーダイオードチップ１５Ｂより選択的にレーザービームが出射され、このレーザービームがコンパクトディスク２Ｂに照射される。またこのコンパクトディスク２Ｂからの戻り光がプリズム１４を介してコンパクトディスク用の受光面２５Ｂ及び２６Ｂにより受光される。
【００４３】
このとき光ディスク装置１では、スイッチ回路１２がオン状態に切り換わり、サーボ回路１０より出力される駆動信号にオフセット電圧が加算されて対物レンズ７がトラッキング制御され、これによりコンパクトディスク２Ｂの半径方向に所定距離だけ変位した状態で対物レンズ７がトラッキング制御される。これにより光ディスク装置１においては、このコンパクトディスク２Ｂを再生する際に収差の発生を低減することができ、光学特性の劣化を防止することができる。
【００４４】
実際上、マトリックス演算回路９より出力される各種信号により特性の劣化を観察したところ、何ら対物レンズ７を変位させない場合、トラッキングエラー信号ＴＥにおいて、ジャストトラッキングを中心にしたＳ字特性に偏りが発生する。これに対して焦点距離２３〔ｍｍ〕のコリメータレンズ５を用いて、コリメータレンズ５及び対物レンズ７間の距離を６．１７６〔ｍｍ〕に設定した場合、コンパクトディスク用の半導体レーザーダイオードチップ側に変位させて、ジャストトラッキングを中心にしたＳ字特性の偏りを防止することができた。
【００４５】
なおこの対物レンズ７を変位させる量は、コリメータレンズ５の焦点距離に対するコリメータレンズ５及び対物レンズ７間の距離に比例して変化し、コリメータレンズ５の焦点距離に比してコリメータレンズ５及び対物レンズ７間の距離を大きくすると、コンパクトディスク用の半導体レーザーダイオードチップ側とは逆側に変位させて、ジャストトラッキングを中心にしたＳ字特性の偏りを防止することができる。またコリメータレンズ５の焦点距離とコリメータレンズ５及び対物レンズ７間の距離とを等しく設定すると、何ら対物レンズ７を変位させることなくジャストトラッキングを中心にしたＳ字特性の偏りを防止することができる。但しこの場合、２焦点レンズである対物レンズ７の設計等が煩雑になる。
【００４６】
このようにして対物レンズ７を変位させて光学特性の劣化を防止するにつき、この実施の形態では、半導体レーザーダイオードチップ１５Ａ及び１５Ｂを光ディスク２Ａ、２Ｂの半径方向に並べて配置したことにより、トラッキング制御用のアクチュエータを利用して対物レンズ７を簡易に変位させることができる。すなわち光ピックアップ３においては、コンパクトディスクプレイヤーに適用される光ピックアップと大きく構造を変更することなく、簡易な構成により対物レンズ７を変位させて光学特性の劣化を防止することができる。
【００４７】
なおコンパクトディスク用のレーザービームにあっては、アパーチャー６によりビーム径が制限されて開口数が低減された状態でコンパクトディスク２Ｂに集光される。
【００４８】
かくするにつき、このようにしてレーザービームを照射して得られる戻り光にあっては、それぞれＤＶＤ用の受光面２５Ａ及び２６Ａ、コンパクトディスク用の受光面２５Ｂ及び２６Ｂにより受光され（図４）、各受光面２５Ａ〜２６Ｂの受光結果が光ディスク２Ａ、２Ｂに応じて処理されてコンパクトディスク及びＤＶＤを再生することが可能となる。
【００４９】
（４）実施の形態の効果
以上の構成によれば、光ディスクの半径方向に離間して配置された光源である半導体レーザーダイオードチップ１５Ａ及び１５Ｂより選択的にレーザービームを照射して共通の光学系５、６、７により光ディスク２Ａ、２Ｂに集光するにつき、このレーザービームの選択的な出射に対応するように光学系の一部である対物レンズ７を光ディスクの半径方向に変位させることにより、１つの光ピックアップ３を複数の光ディスクで共通に使用する場合に、光学特性の劣化を防止することができる。
【００５０】
（５）他の実施の形態
なお上述の実施の形態においては、対物レンズだけを変位させる場合について述べたが、本発明はこれに限らず、光学系全体を変位させるようにしてもよい。
【００５１】
また上述の実施の形態においては、受光系においては、それぞれ個別に受光面を構成する場合について述べたが、本発明はこれに限らず、受光系の全部又は一部を共通化する場合にも広く適用することができる。
【００５２】
また上述の実施の形態においては、コンパクトディスクとＤＶＤとを再生する場合について述べたが、本発明はこれに限らず、例えばコンパクトディスクとＣＤ−Ｒをアクセスする場合等に広く適用することができる。
【００５３】
また上述の実施の形態においては、２種類の光ディスクをアクセスする場合について述べたが、本発明はこれに限らず、複数種類の光ディスクをアクセスする場合に広く適用することができる。
【００５４】
また上述の実施の形態においては、発光素子と受光素子とを一体化した光集積素子により光ピックアップを構成する場合について述べたが、本発明はこれに限らず、発光素子と受光素子とを別体に配置する場合にも広く適用することができる。
【００５５】
【発明の効果】
上述のように本発明によれば、光ディスクの半径方向に離間して配置された光源より選択的にレーザービームを照射して共通の光学系により光ディスクに集光するにつき、このレーザービームの選択的な出射に対応するように対物レンズを光ディスクの半径方向に変位させることにより、１つの光ピックアップを複数の光ディスクで共通に使用する場合に、光学特性の劣化を防止することができる。
【図面の簡単な説明】
【図１】本発明の実施の形態に係る光ディスク装置を示す略線図である。
【図２】図１の光ピックアップのアパーチャーを示す平面図である。
【図３】図１の光ピックアップの光集積素子を示す平面図及び断面図である。
【図４】図３の光集積素子の受光面を拡大して示す平面図である。
【図５】図４の受光面による受光結果の処理の説明に供する略線図である。
【符号の説明】
１……光ディスク装置、２Ａ……ＤＶＤ、２Ｂ……コンパクトディスク、３……光ピックアップ、４……光集積素子、５……コリメータレンズ、７……対物レンズ、８……アクチュエータ、１０……サーボ回路、１３……電源
【図１】
0004013013.tif 000002
【図２】
0004013013.tif 000003
【図３】
0004013013.tif 000004
【図４】
0004013013.tif 000005
【図５】
0004013013.tif 000006